(57)【要約】【課題】  結膜炎の原因となる細菌やウイルスの被検者への感染をより適切に予防できる。【解決手段】  検眼装置本体に配置された検眼窓を介して被検眼を検査する検眼光学系を備える検眼装置において、前記検眼窓に配置された透明な保護部材と、該透明な保護部材に向けて殺菌用の紫外線を照射する紫外線光源と、を設けた。また、検眼装置において、検眼窓の周囲に置かれて被検者の顔に接触する接触部材であって、前記検眼装置本体に着脱可能に設けられた接触部材と、該接触部材に一体的に取り付けられ前記検眼窓に配置される透明な保護部材とを備え、検眼装置本体から取り外した前記接触部材及びこれと一体的な前記透明な保護部材を、紫外線殺菌器で紫外線照射可能な構成にした。【選択図】      図１
2006129949.tif 000002
【特許請求の範囲】
【請求項１】
検眼装置本体に配置された検眼窓を介して被検眼を検査する検眼光学系を備える検眼装置において、前記検眼窓に配置された透明な保護部材と、該透明な保護部材に向けて殺菌用の紫外線を照射する紫外線光源と、を設けたことを特徴とする検眼装置。
【請求項２】
請求項１の検眼装置において、被検眼が検眼位置に有るか否か又は検眼装置本体が所定の検眼位置に有るか否かを検知する検知手段と、該検知手段の検知結果に基づいて前記紫外線光源の点灯・消灯を制御する制御手段と、を設けたことを特徴とする検眼装置。
【請求項３】
請求項１の検眼装置において、前記検眼窓の周囲に置かれ前記検眼装置本体に着脱可能に設けられた着脱部材を備え、前記紫外線光源を、該紫外線光源から照射される紫外線が前記保護部材と前記着脱部材のみに照射される位置に設けたことを特徴とする検眼装置。
【請求項４】
検眼装置本体に配置された検眼窓を介して被検眼を検査する検眼光学系を備える検眼装置において、前記検眼窓の周囲に置かれて被検者の顔に接触する接触部材であって、前記検眼装置本体に着脱可能に設けられた接触部材と、該接触部材に一体的に取り付けられ前記検眼窓に配置される透明な保護部材とを備え、検眼装置本体から取り外した前記接触部材及びこれと一体的な前記透明な保護部材を、紫外線殺菌器で紫外線照射可能な構成にしたことを特徴とする検眼装置。
【請求項５】
請求項４の検眼装置において、前記検眼窓には前記装置本体に固定された第２の透明な保護部材が設けられ、前記接触部材を検眼装置本体に取り付けたときに前記２つの透明な保護部材により二重構造を成す構成としたことを特徴とする検眼装置。
【発明の詳細な説明】
【技術分野】
【０００１】
本発明は、被検眼の検査や測定等に用いられる検眼装置に関する。
【背景技術】
【０００２】
検眼装置本体に設けられた検眼窓を介して被検眼を検査する検眼装置においては、被検眼と検眼窓とがかなり接近した状態で検査を行うものがある。例えば、レンズディスクに配置された種々のレンズ等の光学素子を検眼窓に切換え配置し、被検眼の屈折力を自覚的に検査する自覚式検眼装置が挙げられる（特許文献１参照）。この種の装置では、検眼装置本体内のレンズ後面から１２ｍｍの位置に角膜頂点を位置させると、検眼窓に配置された透明部材である保護ガラスに被検者のまつげや瞼が接触することがある。また、目ヤニや涙などの分泌物が保護ガラス及びその周囲の装置表面に付着することもある。
【特許文献１】特開平１０−１３７１８８号公報
【発明の開示】
【発明が解決しようとする課題】
【０００３】
従来、検眼窓の保護ガラスやその周囲の装置表面の付着物への対応としては、アルコールを含ませた脱脂綿などを使って清掃・消毒をする方法をとっていた。しかし、結膜炎の原因となる細菌やウイルスには、アルコール消毒では死滅しないものがあり、他の被検者への感染予防の対応は必ずしも十分でなかった。
【０００４】
本発明は、上記問題点に鑑み、結膜炎の原因となる細菌やウイルスの被検者への感染をより適切に予防できる検眼装置を提供することを技術課題とする。
【課題を解決するための手段】
【０００５】
（１）  検眼装置本体に配置された検眼窓を介して被検眼を検査する検眼光学系を備える検眼装置において、前記検眼窓に配置された透明な保護部材と、該透明な保護部材に向けて殺菌用の紫外線を照射する紫外線光源と、を設けたことを特徴とする。
（２）  （１）の検眼装置において、被検眼が検眼位置に有るか否か又は検眼装置本体が所定の検眼位置に有るか否かを検知する検知手段と、該検知手段の検知結果に基づいて前記紫外線光源の点灯・消灯を制御する制御手段と、を設けたことを特徴とする。
（３）  （１）の検眼装置において、前記検眼窓の周囲に置かれ前記検眼装置本体に着脱可能に設けられた着脱部材を備え、前記紫外線光源を、該紫外線光源から照射される紫外線が前記保護部材と前記着脱部材のみに照射される位置に設けたことを特徴とする。
（４）  検眼装置本体に配置された検眼窓を介して被検眼を検査する検眼光学系を備える検眼装置において、前記検眼窓の周囲に置かれて被検者の顔に接触する接触部材であって、前記検眼装置本体に着脱可能に設けられた接触部材と、該接触部材に一体的に取り付けられ前記検眼窓に配置される透明な保護部材とを備え、検眼装置本体から取り外した前記接触部材及びこれと一体的な前記透明な保護部材を、紫外線殺菌器で紫外線照射可能な構成にしたことを特徴とする検眼装置。
（５）  （４）の検眼装置において、前記検眼窓には前記装置本体に固定された第２の透明な保護部材が設けられ、前記接触部材を検眼装置本体に取り付けたときに前記２つの透明な保護部材により二重構造を成す構成としたことを特徴とする検眼装置。
【発明の効果】
【０００６】
本発明によれば、結膜炎の原因となる細菌やウイルスの被検者への感染をより適切に予防できる。
【発明を実施するための最良の形態】
【０００７】
以下、本発明の実施の形態を図面に基づいて説明する。図１は被検眼の屈折力を自覚的に検査する検眼装置の概略図であり、図１（ａ）は被検者側から見た時の図、図１（ｂ）は横方向から見たときの図である。
【０００８】
１は検眼装置本体であり、検眼装置本体１は左右対称な一対のレンズ室ユニット６０と、この左右のレンズ室ユニット６０を吊下げ支持する移動ユニット６と、を備える。移動ユニット６は、被検者の瞳孔間距離に合わせて検眼窓６１の間隔を変えるために左右のレンズ室ユニット６０の間隔を調整するスライド機構、及び左右のレンズ室ユニット６０の輻輳角（打寄せ角）を調整する輻輳機構を有する移動手段を内部に持つ。また、検眼装置本体１は支持アーム４によって吊り下げ支持され、支持アーム４は図示を略す検眼テーブルに備え付けられた支柱５に支持されている。支柱５は上下移動可能に検眼テーブルに保持されている。支持アーム４の先端の取っ手部分には上下動スイッチ４１が設けられており、上下動スイッチ４１のＯＮ信号を入力すると、支柱５のロック機構５１が解除され、手動操作により支柱５が上下移動可能とされる。これにより検眼装置本体１を上方の退避位置と下方の検眼位置との間で移動可能になる。上下動スイッチ４１のＯＮ信号を入力しないときは、検眼位置及び退避位置でロック機構５１の電磁ブレーキによりその位置が固定される。
【０００９】
７０は被検者の額と当接する額当てであり、７１は額当て７０と移動ユニット６とを連結させるための連結部である。額当て７０は、被検者の頭部を保持し、被検眼の位置を固定する役割を持つ。移動ユニット６には、連結部７１を介して、被検者の額が額当て７０に当接した（被検者の顔が所定の検査位置に位置している）ことを検出する額検出機構７２が内蔵されている。
【００１０】
７５は検眼時に被検者の顔の頬が接触する場合に備えた頬当て（接触部材）であり、左右一対のレンズ室ユニット６０にそれぞれ着脱自在に取り付けられている。頬当て７５を着脱自在とする構成としては、マグネットを使用することができる。頬当て７５を複数用意しておくことにより、汚れてしまった頬当て７５を随時交換することができる。
【００１１】
左右のレンズ室ユニット６０の筐体内部には、検眼光学系として種々の多数の光学素子６５（レンズ等）を同一円周上に配置（保持）したレンズディスク６４が回転可能に設けられている（図１（ｂ）参照）。検眼窓６１に配置するレンズ等の検眼光学系は、コントローラ９の操作信号により切換えられる。また、検眼窓６１には、レンズ室ユニット６０の筐体内に設けられた光学素子６５やレンズディスク６４等を外部から保護するための透明な保護ガラス（保護部材）６６が設けられている。
【００１２】
レンズ室ユニット６０の検眼窓６１の上部には、細菌やウイルス等を殺菌する殺菌作用を持つ紫外線を発する紫外線ランプ８０が設けられている。紫外線ランプ８０は、その照射光が保護ガラス６６やその周辺に向けて照射されるよう配置される。レンズ室ユニット６０の上部に紫外線ランプ８０を設けたのは、検眼窓６１よりも被検者側にせり出した構成となっているため、保護ガラス６６やその周辺部に紫外線が照射しやすいという利点があるからである。なお、紫外線ランプ８０としては、蛍光管構造やＬＥＤ構造のものが考えられる。１００は検眼装置本体１の検眼光学系を駆動する制御部であり、額検出機構７２からの検出信号に基づいて紫外線ランプ８０の点灯・消灯を制御する役割を有する。
【００１３】
被検者の検眼を行う際には、検者は、被検者の顔を固定させるべく、被検者の額を額当て７０に当接させる。この時、紫外線ランプ８０が点灯状態にあれば、制御部１００は、額検出機構７２の検出信号に基づいて紫外線ランプ８０を消灯させる。
【００１４】
図２は、被検眼が所定の検査位置にある時を横方向から見た時の図である。被検眼は検眼窓６１を通して視標を覗くような状態となり、所定の検査位置にある時は、被検眼の角膜頂点が検眼窓６１に配置された光学素子６５のレンズ後面から１２ｍｍの位置にくるように調整される（ＶＤ＝１２ｍｍ）。なお、被検者側の保護ガラス６６ａと被検眼の角膜頂点との距離は、例えば、約８ｍｍ程度となっているため、保護ガラスやその周辺部にまつげの油分や目ヤニなどが付着する可能性は高い。
【００１５】
検眼に際しては、被検眼が所定の検査位置に調節されると、検者は図示なき視標呈示装置を利用して被検眼に検眼装置本体１の検眼窓６１及び検眼光学系を介してランドルト環等の視標を呈示する。被検者からの応答に基づいて検眼窓６１に配置したレンズ等を切換えることにより、被検眼の自覚屈折力を検査する。検眼作業が終了し、被検者が検眼装置本体１から離れると、検者はアルコールを含ませた脱脂綿を使って保護ガラス６６ａやその周辺を拭く。これにより、涙やまつげ等の付着物が拭き取られる。また、被検者が検眼装置本体１から離れると、額検出機構７２から制御部１００への検出信号の入力が停止する。制御部１００は、検出信号が停止して所定時間が経ったら（例えば、３０秒）、これに基づいて紫外線ランプ８０を点灯させる。紫外線ランプ８０から発せられた紫外線は、脱脂綿による拭き取りで消毒できないような細菌やウイルス等を殺菌する作用を持つため、これにより保護ガラス６６ａやその周辺に付着した細菌やウイルス等が殺菌される。これにより、被検眼が頻繁に接触する可能性の高い保護ガラス６６ａやその周辺を清潔に保つことができる。
【００１６】
上記の実施例においては、紫外線ランプ８０の点灯・消灯を制御するトリガ信号として、前額検出機構７２からの検出信号を用いることで、紫外線が次の被検者の眼に照射されるのを防止することができる。
【００１７】
他の方法としては、支持アーム４の上下動スイッチ４１で支持アーム４を下方に動かしたら紫外線ランプ８０を消灯する構成とすることができる。また、支持アーム４又は支柱５の上下動部にセンサ５２をつけて、検眼装置本体１が上方の退避位置より下方の検眼位置に動かしことがセンサ５２により検知されたら、その検知信号に基づいて制御部１００が紫外線ランプ８０を消灯し、検眼位置より支持アーム４を上方に動かしたことが検知されたら紫外線ランプ８０を点灯させる構成としてもよい。このような構成とすれば、検眼装置本体１が検眼可能な状態においては、紫外線ランプ８０が点灯しない構成とすることができる。また、紫外線ランプ８０の点灯は、コントローラ９に紫外線ランプ専用のスイッチを設け、検者の入力操作により点灯・消灯させるようにしてもよい。
【００１８】
また、被検眼が検眼位置にあるか否かを検知する方法としては、非接触の検出機構である超音波センサ等を設けてもよい。例えば、額当て７０付近に超音波センサを設けておき、所定の距離（例えば、２５ｃｍ）よりも被検者の顔が超音波センサに近づいたら、紫外線ランプ８０を消灯させるようにすればよい。この場合、接触式よりも確実に被検者の存在を検知でき、紫外線が被検者の眼に照射されるのを防止できる。
【００１９】
なお、紫外線の照射は、紫外線ランプ８０の点灯後、タイマー計測により点灯時間を計測し、所定時間が経過したら、制御部１００が紫外線ランプ８０を消灯するようにしても良い。なお、紫外線ランプ８０の点灯時間や出力は、細菌やウイルスが死滅するための時間や、紫外線ランプ８０の寿命、消費電力等から考慮する。また、点灯時間を検者の任意により設定できるような構成としてもよい。
【００２０】
また、紫外線は樹脂等も日焼けさせる作用も持つため、レンズ室ユニット６０の紫外線が照射される部分が黄ばんでしまう可能性があるので、見た目上の問題から考えると、あまり長く照射させない方が好ましい。その対策としては、紫外線光源から照射される紫外線が保護ガラス６６ａと着脱可能な頬当て７５のみに照射されるような位置に紫外線光源を設けることが望ましい。例えば、図３のようなアーム８２の先端に紫外線ＬＥＤ８１を取り付けた構成とすることができる。アーム８２は、紫外線ＬＥＤ８１を自在に移動可能な構成となっており、検眼時においては点線部分で示されるような位置に退避させておく。そして、紫外線による殺菌を行う時には、保護ガラス６６ａと着脱可能な頬当て７５のみに紫外線が照射される位置（例えば、実線部分）に紫外線ＬＥＤ８１を移動させればよい。このような構成により、レンズ室ユニット６０が紫外線の日焼け作用により黄ばんでしまうのを防止できる。この場合、頬当て７５が黄ばんでしまうが、頬当て７５は着脱可能な構成であるため、新しい頬当て７５に交換すれば見た目上の問題は起こらない。なお、紫外線ＬＥＤ８１が取り付けられたアームは、固定式であってもよく、この場合には、アームが検眼中の被検者の邪魔にならないような構成にしておく。
【００２１】
上記実施例に示した装置の他に、被検眼と検眼窓が接近した状態で検査が行われる検眼装置としては、例えば、図４に示す自動視力計２００がある。自動視力計２００の装置本体２０１内部には、ランドルト環等の検査視標を光学的に５ｍの遠方に位置させる検眼光学系が収納されており、被検者がレバー２０２によりランドルト環の切れ目方向を応答入力する。装置本体の制御部は、レバー２０２による応答の正誤を判定し、順次ランドルト環の切れ目方向や視力値を変えることで、視認可能な視力値を決定する。このような自動視力計２００においても、装置本体２０１の左右の検眼窓２６１に設けられた保護ガラス２６６及びその周辺に紫外線が照射されるよう紫外線ランプ２８０を配置すればよい。この例では、遮光カバー２０５の左右の突出部に紫外線ランプ２８０を設けている。
【００２２】
次に、上記に示した実施形態とは別の方法によって、検眼装置の公衆衛生面を向上させる構成について説明する。図５は、その第二実施例の検眼装置の構成を説明する図である。この装置は、図１と同じく、レンズディスクに配置された種々の光学素子を検眼窓に切換え配置し、被検眼の屈折力を自覚的に検査する自覚式検眼装置である。図５（ａ）は、被検者側から見た図であり、図５（ｂ）は、Ａ−Ａ‘面における断面図を示す図である。なお、図１に示した装置と同一の構成要素については、同一の符号を付し、その説明は省力する。
【００２３】
図５（ｂ）に示すように、頬当て７５のレンズ室ユニット６０側に固着された薄板上の鉄板７６と、レンズ室ユニット６０の筐体に固着されたマグネット７７により、頬当て７５は着脱可能となっている。また、検眼窓６１に配置される保護ガラス６６は、検眼窓６１の周囲の頬当て７５に一体的に取り付けられた構成となっている。このため、頬当て７５をレンズ室ユニット６０から外すと、保護ガラス６６と頬当て７５が一体化された状態で取り外される。
【００２４】
このようにして取り外された保護ガラス６６と一体化された頬当て７５は、図６に示すような紫外線殺菌器１１０に入れられ、紫外線照射により殺菌される。この時、頬当て７５においては、被検者の頬との接触による付着物が殺菌される。また、保護ガラス６６においては、脱脂綿による拭き取りで消毒できないような細菌やウイルス等が殺菌される。これにより、被検眼が頻繁に接触する可能性の高い保護ガラス６６やその周辺を清潔に保つことができる。
【００２５】
なお、保護ガラスと頬当てを別々に取り外し可能な構成にしても紫外線殺菌器による殺菌可能であるが、頬当てと保護ガラスをそれぞれ着脱させることは、検者にとって手間である。そこで、本実施形態の挙げたように保護ガラス６６と頬当て７５を一体化させた構成にすることにより、容易にレンズ室ユニット６０への着脱が可能であるため、検者の手間を省くことが出来る。
【００２６】
図７は、図６の検眼装置のさらなる変容例として、検眼窓６１に配置する保護ガラスを二重構造とした構成を示す断面図である。６８は頬当て７５と一体化された第１保護ガラスであり、６９はレンズ室ユニット６０に固着された被検者側の第２保護ガラスであり、第１保護ガラス６８と一体化された頬当て７５は、上記示した図６の検眼装置と同様、レンズ室ユニット６０に対して着脱可能な構成となっている。これにより、紫外線殺菌器１１０による殺菌を行うことが可能である。
【００２７】
以上のような構成とすれば、第１保護ガラス６８と一体化された頬当て７５をレンズ室ユニット６０から取り外しても、第２保護ガラス６９によってレンズ室ユニット６０の筐体内への埃やごみの進入を防止できるため、検眼光学系の光学素子６５が汚れたり、装置自体の故障などを防ぐことができる。さらに、第１保護ガラス６８と第２保護ガラスの間の空間を確保すれば、被検者の顔から発生する汗の蒸散が結露して生じる保護ガラス６８の曇りを軽減することができる。
【図面の簡単な説明】
【００２８】
【図１】被検眼の屈折力を自覚的に検査する検眼装置の概略図である。
【図２】被検眼が所定の検査位置にある時を横方向から見た時の図である。
【図３】アームの先端に紫外線ＬＥＤを取り付けた構成を示す図である。
【図４】自動視力計の概略図である。
【図５】第二実施例の検眼装置の構成を説明する図である。
【図６】紫外線殺菌器について説明する図である。
【図７】保護ガラスを二重構造とした構成を示す断面図である。
【符号の説明】
【００２９】
１  検眼装置本体
５２  センサ
６１  検眼窓
６６  保護ガラス
６８  第１保護ガラス
６９  第２保護ガラス
７２  額検出機構
７５  頬当て
７６  鉄板
７７  マグネット
８０  紫外線ランプ
８１  紫外線ＬＥＤ
８２  アーム
１００  制御部
２００  自動視力計
２６６  保護ガラス
２８０  紫外線ランプ
【図１】
2006129949.tif 000003
【図２】
2006129949.tif 000004
【図３】
2006129949.tif 000005
【図４】
2006129949.tif 000006
【図５】
2006129949.tif 000007
【図６】
2006129949.tif 000008
【図７】
2006129949.tif 000009